(57)【要約】【課題】映像音声機器の操作内容が複雑な場合でも操作性を向上させることが可能となるリモコン装置およびリモコンシステムを提供する。【解決手段】キー入力部と、前記キー入力部におけるキー入力に対応したリモコンコードをリモコン信号に変換するリモコン信号変換部と、前記変換後のリモコン信号を映像音声機器へ無線送信する送信部と、を備えたリモコン装置において、入力装置を接続可能な少なくとも一つのインタフェース部と、前記インタフェース部を介して前記入力装置から受信した検出情報をリモコンコードに変換するリモコンコード変換部と、を備え、前記リモコン信号変換部は、前記リモコンコード変換部により変換された後のリモコンコードをリモコン信号に変換し、前記送信部は、前記変換後のリモコン信号を前記映像音声機器へ無線送信する構成とした。【選択図】図２
2011259051.tif 000002
【特許請求の範囲】
【請求項１】
キー入力部と、前記キー入力部におけるキー入力に対応したリモコンコードをリモコン信号に変換するリモコン信号変換部と、前記変換後のリモコン信号を映像音声機器へ無線送信する送信部と、を備えたリモコン装置において、
入力装置を接続可能な少なくとも一つのインタフェース部と、前記インタフェース部を介して前記入力装置から受信した検出情報をリモコンコードに変換するリモコンコード変換部と、を備え、
前記リモコン信号変換部は、前記リモコンコード変換部により変換された後のリモコンコードをリモコン信号に変換し、前記送信部は、前記変換後のリモコン信号を前記映像音声機器へ無線送信することを特徴とするリモコン装置。
【請求項２】
前記入力装置は、マウスとキーボードの少なくともいずれかであることを特徴とする請求項１に記載のリモコン装置。
【請求項３】
前記マウスは、ケーブル接続可能なＵＳＢ（Universal Serial Bus）マウスであり、前記キーボードは、ケーブル接続可能なＵＳＢキーボードであることを特徴とする請求項２に記載のリモコン装置。
【請求項４】
前記マウスは、ワイヤレスマウスであり、前記キーボードは、ワイヤレスキーボードであることを特徴とする請求項２に記載のリモコン装置。
【請求項５】
前記キー入力部と前記入力装置のいずれを有効にするかを切替える切替スイッチを備えることを特徴とする請求項１〜請求項４のいずれかに記載のリモコン装置。
【請求項６】
リモコン装置が把持されたことを検出するセンサを備え、前記センサの検出信号に応じて前記キー入力部および前記入力装置の有効／無効が切替えられることを特徴とする請求項１〜請求項４のいずれかに記載のリモコン装置。
【請求項７】
請求項１〜請求項６のいずれかに記載のリモコン装置と、映像音声機器とを有したリモコンシステム。
【発明の詳細な説明】
【技術分野】
【０００１】
本発明は、リモコン装置およびリモコンシステムに関する。
【背景技術】
【０００２】
従来から、テレビ装置、ハードディスクレコーダ、ＤＶＤレコーダ、セットトップボックス等、あらゆる映像音声機器がリモコン装置によって遠隔操作が可能となっている。
【０００３】
例えば、特許文献１には、テレビ機能の操作制御と、専用ＰＣコントローラにより提供されるインターネット閲覧機能に関する操作制御を行えるＴＶ／ＰＣ共用リモコン装置が開示されている。
【０００４】
また、特許文献２には、リモコン装置から出力されるキーボード以外のハードウェアを直接的に制御するハードウェア制御信号を受信し、受信したハードウェア制御信号をキーボード信号に変換し、変換したキーボード信号をコンピュータ装置に出力するリモコン信号受信装置が開示されている。
【０００５】
また、特許文献３には、各入力ボタンに対応したリモコン信号を赤外線によって送信する赤外線発光装置と、赤外線発光装置から発光された赤外線信号を受光して電気信号に変換するための赤外線受光変換部と変換した電気信号をＵＳＢ信号に変換するＵＳＢ信号変換部とＵＳＢ信号を出力するＵＳＢ接続端子部とを備えた赤外線受光変換装置と、コンピュータのＵＳＢ接続端子と赤外線受光変換装置のＵＳＢ接続端子部とを接続してＵＳＢ信号を伝送するＵＳＢ接続ケーブルと、からなるリモコン装置が開示されている。
【先行技術文献】
【特許文献】
【０００６】
【特許文献１】特開２００７−２０８９５２号公報
【特許文献２】特開２００６−３５０６７２号公報
【特許文献３】特開２００５−２２３５３７号公報
【発明の概要】
【発明が解決しようとする課題】
【０００７】
しかし、上記特許文献１、２、３のリモコン装置を含めた従来のリモコン装置では、キー入力により遠隔操作を行っていたので、文字入力や画面上での選択等の複雑な操作の場合にユーザはスムーズに操作ができないといった問題があった。
【０００８】
本発明は、映像音声機器の操作内容が複雑な場合でも操作性を向上させることが可能となるリモコン装置およびリモコンシステムを提供することを目的とする。
【課題を解決するための手段】
【０００９】
上記目的を達成するために本発明は、キー入力部と、前記キー入力部におけるキー入力に対応したリモコンコードをリモコン信号に変換するリモコン信号変換部と、前記変換後のリモコン信号を映像音声機器へ無線送信する送信部と、を備えたリモコン装置において、
入力装置を接続可能な少なくとも一つのインタフェース部と、前記インタフェース部を介して前記入力装置から受信した検出情報をリモコンコードに変換するリモコンコード変換部と、を備え、
前記リモコン信号変換部は、前記リモコンコード変換部により変換された後のリモコンコードをリモコン信号に変換し、前記送信部は、前記変換後のリモコン信号を前記映像音声機器へ無線送信する構成としている。
【００１０】
このような構成によれば、操作性に優れた入力装置をリモコン装置に接続すれば、映像音声機器の操作内容が複雑な場合でもユーザは入力装置を用いてスムーズに操作することが可能となる。
【００１１】
また、上記構成において、前記入力装置は、マウスとキーボードの少なくともいずれかであってもよい。これにより、操作性に優れたマウスとキーボードを用いて複雑な操作をスムーズに行うことができる。現状、家庭にはＰＣ（パソコン）が普及しており、ＰＣのマウスとキーボードをそのままリモコン装置に接続すればよいので便利である。
【００１２】
また、この構成において、前記マウスは、ケーブル接続可能なＵＳＢ（Universal Serial Bus）マウスであり、前記キーボードは、ケーブル接続可能なＵＳＢキーボードであってもよい。
【００１３】
また、上記構成において、前記マウスは、ワイヤレスマウスであり、前記キーボードは、ワイヤレスキーボードであってもよい。これにより、ユーザはより自由な位置から操作することができる。
【００１４】
また、上記いずれかの構成において、前記キー入力部と前記入力装置のいずれを有効にするかを切替える切替スイッチを備える構成でもよい。これにより、ユーザは切替スイッチを操作するだけで容易にキー入力部と入力装置のいずれを有効にするかを切替えることができる。
【００１５】
また、上記いずれかの構成において、リモコン装置が把持されたことを検出するセンサを備え、前記センサの検出信号に応じて前記キー入力部および前記入力装置の有効／無効が切替えられる構成としてもよい。これにより、ユーザがリモコン装置を把持すれば自動的にキー入力部のみを有効にし、リモコン装置の把持をしなければ自動的に入力装置のみを有効にすることが可能となる。
【００１６】
また、本発明は、上記いずれかの構成のリモコン装置と、映像音声機器とを有したリモコンシステムとする。
【発明の効果】
【００１７】
本発明によれば、映像音声機器の操作内容が複雑な場合でも操作性を向上させることが可能となる。
【図面の簡単な説明】
【００１８】
【図１】本発明の一実施形態に係るリモコンシステムの概略外観を示す図である。
【図２】本発明の一実施形態に係るリモコンシステムの概略構成を示す図である。
【図３】ワイヤレスマウスおよびワイヤレスキーボードを用いる場合のリモコン装置周辺の構成を示す図である。
【図４】本発明の別実施形態に係るリモコン装置の概略構成を示す図である。
【発明を実施するための形態】
【００１９】
以下に本発明の実施形態を図面を参照して説明する。図１は、本発明の一実施形態に係るリモコンシステムの概略外観を示し、図２は、本発明の一実施形態に係るリモコンシステムの概略構成を示す。
【００２０】
本発明に係るリモコンシステムは、デジタル放送受信録画対応のテレビ装置１００とリモコン装置２００とから構成され、リモコン装置２００にはＵＳＢ（Universal Serial Bus）マウス３００およびＵＳＢキーボード４００を接続することが可能となっている。
【００２１】
図２に示すよう、テレビ装置１００は、チューナ２と、復調ＩＣ３と、ＤＥＭＵＸ（デマルチプレクサ）４と、音声デコーダ５と、パワーアンプ６と、スピーカ７と、映像デコーダ８と、ＯＳＤ（On Screen Display）部９と、映像出力部１０と、液晶パネル１１と、制御部１２と、赤外受信部１３と、ＨＤＤ（Hard Disk Drive）１４と、を備えている。チューナ２には、アンテナ１が接続される。
【００２２】
チューナ２は、アンテナ１から受信したデジタル放送信号から選局周波数の放送信号を選局し、選局された放送信号を復調ＩＣ３に出力する。復調ＩＣ３は、受信した放送信号をＯＦＤＭ（Orthogonal Frequency Division Multiplexing）方式で復調し、ビダビ復号等を用いて誤り訂正を行いＴＳ（Transport Stream）データを取り出す。
【００２３】
ＤＥＭＵＸ４は、ＴＳデータから音声ストリームを抽出し音声デコーダ５に出力すると共に、ＴＳデータから映像ストリームを抽出し映像デコーダ８に出力する。
【００２４】
音声デコーダ５は、音声ストリームをデコードし、デジタル音声データをパワーアンプ６に送信する。パワーアンプ６は、デジタル音声データに基づきスピーカ７の駆動信号を生成し、スピーカ７を駆動させる。これにより、スピーカ７から放送音声が発生する。
【００２５】
映像デコーダ８は、映像ストリームをデコードし、デジタル映像データを出力する。ＯＳＤ部９は、文字、図形等のＯＳＤデータを作成し、映像デコーダ８からのデジタル映像データにＯＳＤデータを重畳し、重畳後の映像データを映像出力部１０に出力する。映像出力部１０は、入力される映像データを液晶パネル１１の表示に適した形式の映像信号に変換し、液晶パネル１１に出力する。液晶パネル１１は、映像出力部１０から入力される映像信号に基づき映像を表示する。これにより、ＯＳＤ画像が重畳された放送映像が表示される。なお、ＯＳＤ部９は、重畳せずにＯＳＤデータのみを映像出力部１０に出力することもあり、その場合は液晶パネル１１にＯＳＤ画像のみが表示される（メニュー画面など）。
【００２６】
制御部１２は、例えばマイコンから構成され、制御プログラムに従ってテレビ装置１００の各部を制御する。赤外受信部１３は、後述するリモコン装置２００から赤外線のリモコン信号を受信し、受信したリモコン信号をリモコンコードに変換し制御部１２に出力する。ＨＤＤ１４は、内蔵するハードディスクに映像音声データであるタイトルやタイトル名等のメタデータ等を書き込んだり、ハードディスクからこれらのデータを読み出したりする。
【００２７】
また、リモコン装置２００は、赤外送信部１５と、リモコン信号変換部１６と、リモコンコード変換部１７と、ＵＳＢインタフェース部１８と、ＵＳＢインタフェース部１９と、キー入力部２０と、切替スイッチ２１と、を備えている。リモコン信号変換部１６と、リモコンコード変換部１７とは、それぞれ例えばマイコンで構成される。
【００２８】
キー入力部２０は、各種キーを有しており、押下げられたキーに対応したリモコンコードをリモコン信号変換部１６に出力する。
【００２９】
ＵＳＢインタフェース部１８には、ＵＳＢマウス３００を接続可能である。ＵＳＢマウス３００は、マウス本体とケーブルとからなり、光学方式、ボール方式等によりマウスの移動方向、移動量を検出し、検出情報をＵＳＢ方式でＵＳＢインタフェース部１８に出力する。また、ＵＳＢマウス３００において左クリックまたは右クリックがされると、その検出情報もＵＳＢ方式でＵＳＢインタフェース部１８に出力する。
【００３０】
また、ＵＳＢインタフェース部１９には、ＵＳＢキーボード４００を接続可能である。ＵＳＢキーボード４００は、各種キーを有するキーボード本体とケーブルとからなり、押下げられたキーの検出情報をＵＳＢ方式でＵＳＢインタフェース部１９に出力する。
【００３１】
そして、リモコンコード変換部１７は、ＵＳＢインタフェース部１８またはＵＳＢインタフェース部１９を介して検出情報を受信し、受信した検出情報をリモコンコードに変換し、リモコンコードをリモコン信号変換部１６に出力する。
【００３２】
リモコン信号変換部１６は、キー入力部２０またはリモコンコード変換部１７から入力されたリモコンコードをリモコン信号に変換し、リモコン信号を赤外送信部１５を介して赤外線方式でテレビ装置１００側の赤外受信部１３に送信する。赤外受信部１３は、受信したリモコン信号をリモコンコードに変換し、リモコンコードを制御部１２に出力する。制御部１２は、入力されたリモコンコードに応じた制御を行う。
【００３３】
また、切替スイッチ２１は、例えばスライド式のスイッチで構成され、２つの位置にスライドさせることができる。切替スイッチ２１を所定の位置にスライドさせている場合、リモコン信号変換部１６は、リモコンコード変換部１７とキー入力部２０のうちリモコンコード変換部１７からのリモコンコードのみをリモコン信号に変換し、上記所定の位置と異なる方の位置にスライドさせている場合は、反対にキー入力部２０からのリモコンコードのみをリモコン信号に変換する。これにより、ＵＳＢマウス３００およびＵＳＢキーボード４００の操作と、キー入力部２０の操作のいずれを有効にするかを切替えることができる。
【００３４】
ここで、ＵＳＢマウス３００がＵＳＢインタフェース部１８に接続され、ＵＳＢキーボード４００がＵＳＢインタフェース部１９に接続されると、ＵＳＢインタフェース部１８、１９からの通知によりリモコンコード変換部１７は、ＵＳＢマウス３００およびＵＳＢキーボード４００が接続されている旨の所定のリモコンコードをリモコン信号変換部１６に出力する。すると、リモコン信号変換部１６が上記所定のリモコンコードをリモコン信号に変換し、リモコン信号を赤外送信部１５を介してテレビ装置１００側へ送信する。そして、制御部１２は、リモコン信号に対応するリモコンコードを受信すると、所定の第１モードに移行する。
【００３５】
制御部１２が第１モードに移行している状態では、ＵＳＢマウス３００の移動に応じて、液晶パネル１１に表示されたＯＳＤ画面上（メニュー画面やタイトルリスト画面等）でマウスポインタを移動可能である。選択可能箇所にマウスポインタが移動されると所定の形状（手の形状等）にマウスポインタが変化し、ＵＳＢマウス３００において左クリックがされると、決定操作することができる。例えば、タイトルリストであれば、スクロールボタンを左クリックで選択することでリストをスクロールできるようにしてもよい。また、ＵＳＢマウス３００において右クリックがされると、サブメニューが表示されるようにしてもよい。また、制御部１２が第１モードに移行している状態では、ＵＳＢキーボード４００によって画面上での文字入力（タイトル名入力等）や漢字変換が可能となる。これにより、ＵＳＢマウス３００およびＵＳＢキーボード４００を組み合わせて様々な操作が可能となる。
【００３６】
また、ＵＳＢマウス３００のみがＵＳＢインタフェース部１８に接続されると、ＵＳＢインタフェース部１８からの通知によりリモコンコード変換部１７は、ＵＳＢマウス３００のみが接続されている旨の所定のリモコンコードをリモコン信号変換部１６に出力する。すると、リモコン信号変換部１６が上記所定のリモコンコードをリモコン信号に変換し、リモコン信号を赤外送信部１５を介してテレビ装置１００側へ送信する。そして、制御部１２は、リモコン信号に対応するリモコンコードを受信すると、所定の第２モードに移行する。
【００３７】
制御部１２が第２モードに移行している状態では、上述したＵＳＢマウス３００によるマウスポインタの移動操作や決定操作、サブメニュー操作が可能である。文字入力に関しては、画面上にソフトキーボードが表示され、ソフトキーボード上でのマウスポインタの移動および決定により文字入力および漢字変換が行える。これにより、ＵＳＢマウス３００のみでも様々な操作が可能となる。
【００３８】
また、ＵＳＢキーボード４００のみがＵＳＢインタフェース部１９に接続されると、ＵＳＢインタフェース部１９からの通知によりリモコンコード変換部１７は、ＵＳＢキーボード４００のみが接続されている旨の所定のリモコンコードをリモコン信号変換部１６に出力する。すると、リモコン信号変換部１６が上記所定のリモコンコードをリモコン信号に変換し、リモコン信号を赤外送信部１５を介してテレビ装置１００側へ送信する。そして、制御部１２は、リモコン信号に対応するリモコンコードを受信すると、所定の第３モードに移行する。
【００３９】
制御部１２が第３モードに移行している状態では、ＵＳＢキーボード４００により画面上で文字入力や漢字変換が行えると共に、ＵＳＢキーボード４００の例えばＴＡＢキーやカーソルキーにより選択項目を選択可能であり、ＵＳＢキーボード４００の例えばリターンキーにより決定操作が可能である。これにより、ＵＳＢキーボード４００のみでも様々な操作が可能となる。
【００４０】
以上のように本発明によれば、リモコン装置２００に接続したＵＳＢマウス３００およびＵＳＢキーボード４００を用いてテレビ装置１００の複雑な操作が遠隔操作で可能となり、従来のリモコン装置におけるキー入力による場合よりもユーザはスムーズに操作することが可能となる。また、現状、ＰＣ（パソコン）は家庭に普及しているので、ＰＣのＵＳＢマウスおよびＵＳＢキーボードをそのままリモコン装置２００に接続して使用することができ便利である。
【００４１】
また、図３に、ワイヤレスマウスおよびワイヤレスキーボードを用いる場合のリモコン装置周辺の構成を示す。
【００４２】
図３に示すように、ワイヤレスマウス６００から無線信号を受信するためのレシーバ５００がＵＳＢインタフェース部１８に接続され、ワイヤレスキーボード８００から無線信号を受信するためのレシーバ７００がＵＳＢインタフェース部１９に接続される。
【００４３】
ワイヤレスマウス６００は、移動方向・移動量やクリックの検出情報を無線信号としてレシーバ５００に送信し、レシーバ５００は、受信した無線信号をＵＳＢ方式の信号に変換しＵＳＢインタフェース部１８に送信する。ワイヤレスキーボード８００は、キー入力の検出情報を無線信号としてレシーバ７００に送信し、レシーバ７００は、受信した無線信号をＵＳＢ方式の信号に変換しＵＳＢインタフェース部１９に送信する。なお、ワイヤレスマウス６００およびワイヤレスキーボード８００の無線方式は、例えばＷｉ−Ｆｉ（登録商標）やＢｌｕｅｔｏｏｔｈ（登録商標）を用いればよい。また、上述した第１、第２、第３モードへの移行については、レシーバ５００およびレシーバ７００の装着により行われる。
【００４４】
このようにすれば、ワイヤレスマウス６００およびワイヤレスキーボード８００を用いて、より自由な位置からテレビ装置１００の複雑な操作をスムーズに行うことが可能となる。
【００４５】
また、図４には、別実施形態に係るリモコン装置２００’の概略構成を示す。リモコン装置２００’の上述したリモコン装置２００との相違点は、切替スイッチ２１の代わりにタッチセンサ２２を設けたことである。タッチセンサ２２は、ユーザがリモコン装置２００’を把持する部分に設けられており、ユーザによる把持を検出する。
【００４６】
リモコン信号変換部１６は、リモコンコード変換部１７またはキー入力部２０からリモコンコードを受信すると、タッチセンサ２２の検出信号によりリモコン装置２００’が把持されているか否かを判定する。もし、リモコン装置２００’が把持されていると判定した場合は、キー入力部２０からのリモコンコードはリモコン信号に変換するが、リモコンコード変換部１７からのリモコンコードはリモコン信号に変換しない。一方、リモコン装置２００’が把持されていないと判定した場合は、リモコンコード変換部１７からのリモコンコードはリモコン信号に変換するが、キー入力部２０からのリモコンコードはリモコン信号に変換しない。
【００４７】
これにより、ユーザがリモコン装置２００’を把持すれば自動的にキー入力部２０のみが有効となり、リモコン装置２００’を机に置くなど把持をやめればＵＳＢマウス３００およびＵＳＢキーボード４００のみが有効となる。なお、タッチセンサ２２の代わりに、圧力センサ、温度センサ、ジャイロセンサ等を用いてリモコン装置２００’の把持を検出するようにしてもよい。
【００４８】
以上、本発明の実施形態について説明したが、本発明の趣旨の範囲内であれば、実施形態は種々変更が可能である。
【００４９】
例えば、上記実施形態では、リモコン装置においてＵＳＢインタフェース部を２つ設けてマウスおよびキーボードを両方接続可能であったが、ＵＳＢインタフェース部を１つとしてもよい。
【００５０】
また、例えばタブレットやテンキーパッド等の入力装置をリモコン装置に接続できるようにしてもよい。
【００５１】
また、操作される映像音声機器は、テレビ装置に限らず、ハードディスクレコーダ、Ｂｌｕ−ｒａｙ  Ｄｉｓｃレコーダ、ＤＶＤレコーダ、セットトップボックス等であってもよい。また、映像音声機器がインターネット接続機能を有している場合は、リモコン装置に接続されたマウスおよびキーボードの操作によりあたかもＰＣと同様の操作感でホームページを閲覧できるようにしてもよい。
【符号の説明】
【００５２】
１    アンテナ
２    チューナ
３    復調ＩＣ
４    ＤＥＭＵＸ
５    音声デコーダ
６    パワーアンプ
７    スピーカ
８    映像デコーダ
９    ＯＳＤ部
１０    映像出力部
１１    液晶パネル
１２    制御部
１３    赤外受信部
１４    ＨＤＤ
１５    赤外送信部
１６    リモコン信号変換部
１７    リモコンコード変換部
１８    ＵＳＢインタフェース部
１９    ＵＳＢインタフェース部
２０    キー入力部
２１    切替スイッチ
２２    タッチセンサ
１００    テレビ装置
２００、２００’    リモコン装置
３００    ＵＳＢマウス
４００    ＵＳＢキーボード
５００    レシーバ
６００    ワイヤレスマウス
７００    レシーバ
８００    ワイヤレスキーボード
【図２】
2011259051.tif 000003
【図３】
2011259051.tif 000004
【図４】
2011259051.tif 000005
【図１】
2011259051.tif 000006